(57)【要約】【課題】表示画面の大きさに対して好適な大きさでＯＳＤ画面を表示することができるＯＳＤ表示制御プログラムを提供する。【解決手段】ＯＳＤ表示制御プログラムは、表示画面の総画素数を総画素数情報として入力する総画素数入力ステップ（Ｓ１０１）と、領域比率記憶部から領域比率情報を入力する領域比率入力ステップ（Ｓ１０２）と、総画素数情報および領域比率情報に基づいてＯＳＤ表示を行う領域の画素数を決定する領域画素数決定ステップ（Ｓ１０３）と、を画像表示装置のコンピューターに実現させる。【選択図】図３
2011024073.tif 000002
【特許請求の範囲】
【請求項１】
表示画面を有する画像表示装置のＯＳＤ表示の制御を行うＯＳＤ表示制御プログラムであって、
前記画像表示装置は、前記表示画面の総画素数に対するＯＳＤ表示を行う領域の画素数の比率を領域比率情報として記憶する領域比率記憶部を有し、
前記表示画面の前記総画素数を総画素数情報として入力する総画素数入力ステップと、
前記領域比率記憶部から前記領域比率情報を入力する領域比率入力ステップと、
前記総画素数情報および前記領域比率情報に基づいてＯＳＤ表示を行う領域の画素数を決定する領域画素数決定ステップと、
を前記画像表示装置のコンピューターに実現させるＯＳＤ表示制御プログラム。
【請求項２】
表示画面を有する画像表示装置のＯＳＤ表示の制御を行うＯＳＤ表示制御プログラムであって、
前記画像表示装置は、前記表示画面の総画素数に対するＯＳＤ表示に用いられる文字の画素数の比率を文字比率情報として記憶する文字比率記憶部を有し、
前記表示画面の前記総画素数を総画素数情報として入力する総画素数入力ステップと、
前記文字比率記憶部から前記文字比率情報を入力する文字比率入力ステップと、
前記総画素数情報および前記文字比率情報に基づいてＯＳＤ表示に用いられる文字の画素数を決定する文字画素数決定ステップと、
を前記画像表示装置のコンピューターに実現させるＯＳＤ表示制御プログラム。
【請求項３】
請求項１または２に記載のＯＳＤ表示制御プログラムを記録した画像表示装置が読み取り可能な記録媒体。
【請求項４】
表示画面を有する画像表示装置のＯＳＤ表示の制御を行うＯＳＤ表示制御方法であって、
前記画像表示装置は、前記表示画面の総画素数に対するＯＳＤ表示を行う領域の画素数の比率を領域比率情報として記憶する領域比率記憶部を有し、
前記表示画面の前記総画素数を表す総画素数情報を取得する総画素数取得ステップと、
前記領域比率記憶部から前記領域比率情報を取得する領域比率取得ステップと、
前記総画素数情報および前記領域比率情報に基づいて、ＯＳＤ表示を行う領域の画素数を決定する領域画素数決定ステップと、
を備えることを特徴とするＯＳＤ表示制御方法。
【請求項５】
表示画面を有する画像表示装置のＯＳＤ表示の制御を行うＯＳＤ表示制御方法であって、
前記画像表示装置は、前記表示画面の総画素数に対するＯＳＤ表示に用いられる文字の画素数の比率を文字比率情報として記憶する文字比率記憶部を有し、
前記表示画面の前記総画素数を表す総画素数情報を取得する総画素数取得ステップと、
前記文字比率記憶部から前記文字比率情報を取得する文字比率取得ステップと、
前記総画素数情報および前記文字比率情報に基づいてＯＳＤ表示に用いられる文字の画素数を決定する文字画素数決定ステップと、
を備えることを特徴とするＯＳＤ表示制御方法。
【請求項６】
表示画面上にＯＳＤ表示として任意の画像や文字を表示させるＯＳＤ表示装置であって、
前記表示画面の総画素数を表す総画素数情報を入力する総画素数入力部と、
前記表示画面の前記総画素数に対するＯＳＤ表示を行う領域の画素数の比率を領域比率情報として記憶する領域比率記憶部と、
前記総画素数情報および前記領域比率情報に基づいて、ＯＳＤ表示を行う領域の画素数を決定する領域画素数決定部と、
を備えることを特徴とするＯＳＤ表示装置。
【請求項７】
請求項６に記載のＯＳＤ表示装置であって、
前記総画素数に対するＯＳＤ表示に用いられる文字の画素数の比率を文字比率情報として記憶する文字比率記憶部と、
前記総画素数情報および前記文字比率情報に基づいて、ＯＳＤ表示に用いられる文字の画素数を決定する文字画素数決定部と、
をさらに有することを特徴とするＯＳＤ表示装置。
【発明の詳細な説明】
【技術分野】
【０００１】
本発明は、ＯＳＤ表示制御プログラム、記録媒体、ＯＳＤ表示制御方法、およびＯＳＤ表示装置に関する。
【背景技術】
【０００２】
従来、オンスクリーンディスプレイ（以降、「ＯＳＤ」と呼ぶ）機能を有する画像表示装置において、表示画面上のＯＳＤ表示を行う領域の画素数、即ちＯＳＤ表示領域の大きさは、固定的なサイズに定められているものがあった。また、ＯＳＤ表示に用いられる文字の画素数、即ちＯＳＤ表示文字の大きさも、固定的なサイズに定められているものがあった。このようなＯＳＤ表示領域の大きさやＯＳＤ表示文字の大きさは、ＯＳＤ機能を実現するためのＯＳＤ表示制御プログラムに予め固定値として設定されていた。このようなＯＳＤ表示制御プログラムを、表示画面の総画素数が異なる他の画像表示装置に流用した場合、表示画面の大きさに対してＯＳＤ表示領域が小さくなってしまったり、逆に大きくなってしまったりして、ＯＳＤ表示文字が認識できなくなったり、視認性が悪くなってしまったりすることがあった。
【０００３】
特許文献１には、ＯＳＤ機能で表示装置の画面上に表示される文字の画像データをサイズ別に記憶し、ユーザーが文字のサイズを設定変更して表示することができる画像表示装置（合成画像出力装置）が開示されている。
【先行技術文献】
【特許文献】
【０００４】
【特許文献１】特開２００３−３３３４４９号公報
【発明の概要】
【発明が解決しようとする課題】
【０００５】
しかしながら、特許文献１の画像表示装置では、ユーザーが文字のサイズを選択しなければならないため、ユーザーに操作負担を与えてしまうという問題があった。したがって、他の画像表示装置に流用した場合においても、ユーザーに操作負担を与えることなく、表示画面の大きさに対して好適な大きさでＯＳＤ画面を表示することができるＯＳＤ表示制御プログラムが求められていた。
【課題を解決するための手段】
【０００６】
本発明は、上述の課題の少なくとも一部を解決するためになされたものであり、以下の形態または適用例として実現することが可能である。
【０００７】
［適用例１］本適用例に係るＯＳＤ表示制御プログラムは、表示画面を有する画像表示装置のＯＳＤ表示の制御を行うＯＳＤ表示制御プログラムであって、前記画像表示装置は、前記表示画面の総画素数に対するＯＳＤ表示を行う領域の画素数の比率を領域比率情報として記憶する領域比率記憶部を有し、前記表示画面の前記総画素数を総画素数情報として入力する総画素数入力ステップと、前記領域比率記憶部から前記領域比率情報を入力する領域比率入力ステップと、前記総画素数情報および前記領域比率情報に基づいてＯＳＤ表示を行う領域の画素数を決定する領域画素数決定ステップと、を前記画像表示装置のコンピューターに実現させる。
【０００８】
このような画像表示装置のＯＳＤ表示制御プログラムによれば、総画素数入力ステップは、画像表示装置の表示画面の総画素数情報を入力する。領域比率入力ステップは、領域比率記憶部から領域比率情報を入力する。そして、領域画素数決定ステップは、総画素数情報および領域比率情報に基づいて、ＯＳＤ表示を行う領域（以降、「ＯＳＤ表示領域」と呼ぶ）の画素数を決定する。ここで、画像表示装置は、表示画面の総画素数に対するＯＳＤ表示領域の画素数を領域比率情報として記憶する領域比率記憶部を有している。これにより、表示画面に対して領域比率情報に従った好適な大きさでＯＳＤ画面を表示することができる。そして、表示画面の総画素数が異なる他の画像表示装置に、当該ＯＳＤ表示制御プログラムを流用した場合においても、ユーザーに操作負担を与えることなく、表示画面の大きさに対して領域比率情報に従った好適な大きさでＯＳＤ画面を表示することができる。
【０００９】
［適用例２］本適用例に係るＯＳＤ表示制御プログラムは、表示画面を有する画像表示装置のＯＳＤ表示の制御を行うＯＳＤ表示制御プログラムであって、前記画像表示装置は、前記表示画面の総画素数に対するＯＳＤ表示に用いられる文字の画素数の比率を文字比率情報として記憶する文字比率記憶部を有し、前記表示画面の前記総画素数を総画素数情報として入力する総画素数入力ステップと、前記文字比率記憶部から前記文字比率情報を入力する文字比率入力ステップと、前記総画素数情報および前記文字比率情報に基づいてＯＳＤ表示に用いられる文字の画素数を決定する文字画素数決定ステップと、を前記画像表示装置のコンピューターに実現させる。
【００１０】
このような画像表示装置のＯＳＤ表示制御プログラムによれば、総画素数入力ステップは、画像表示装置の表示画面の総画素数情報を入力する。文字比率入力ステップは、文字比率記憶部から文字比率情報を入力する。そして、文字画素数決定ステップは、総画素数情報および文字比率情報に基づいて、ＯＳＤ表示に用いられる文字（以降、「ＯＳＤ表示文字」と呼ぶ）の画素数を決定する。ここで、画像表示装置は、表示画面の総画素数に対するＯＳＤ表示文字の画素数の文字比率情報を記憶する文字比率記憶部を有している。これにより、表示画面に対して文字比率情報に従った好適な大きさでＯＳＤ表示文字を表示することができる。そして、表示画面の総画素数が異なる他の画像表示装置に当該ＯＳＤ表示制御プログラムを流用した場合においても、ユーザーに操作負担を与えることなく、表示画面の大きさに対して文字比率情報に従った好適な大きさでＯＳＤ表示文字を表示することができる。
【００１１】
［適用例３］上記適用例に係るＯＳＤ表示制御プログラムを記録した画像表示装置が読み取り可能な記録媒体。
【００１２】
このような記録媒体に記録されたＯＳＤ表示制御プログラムを、画像表示装置のコンピューターに実現させることにより、ユーザーは、表示画面に対して好適な大きさでＯＳＤ画面を表示したり、ＯＳＤ表示文字を表示したりすることができる。このような記録媒体としては、フレキシブルディスクやハードディスク、ＣＤ−ＲＯＭ（Compact Disk Read Only Memory）、ＤＶＤ（Digital Versatile Disk）、光磁気ディスク、不揮発性メモリーカード、プロジェクターの内部記憶装置（ＲＡＭ（Random Access Memory）やＲＯＭ（Read Only Memory）等の半導体メモリー）、及び外部記憶装置（ＵＳＢ（Universal Serial Bus）メモリー等）等、前記コンピューターが読み取り可能な種々の媒体を利用することができる。
【００１３】
［適用例４］本適用例に係るＯＳＤ表示制御方法は、表示画面を有する画像表示装置のＯＳＤ表示の制御を行うＯＳＤ表示制御方法であって、前記画像表示装置は、前記表示画面の総画素数に対するＯＳＤ表示を行う領域の画素数の比率を領域比率情報として記憶する領域比率記憶部を有し、前記表示画面の前記総画素数を表す総画素数情報を取得する総画素数取得ステップと、前記領域比率記憶部から前記領域比率情報を取得する領域比率取得ステップと、前記総画素数情報および前記領域比率情報に基づいて、ＯＳＤ表示を行う領域の画素数を決定する領域画素数決定ステップと、を備えることを特徴とする。
【００１４】
このような画像表示装置のＯＳＤ表示制御方法によれば、総画素数取得ステップは、画像表示装置の表示画面の総画素数情報を取得する。領域比率取得ステップは、領域比率記憶部から領域比率情報を取得する。そして、領域画素数決定ステップは、総画素数情報および領域比率情報に基づいて、ＯＳＤ表示を行う領域の画素数を決定する。ここで、画像表示装置は、表示画面の総画素数に対するＯＳＤ表示領域の画素数の領域比率情報を記憶する領域比率記憶部を有している。これにより、表示画面に対して領域比率情報に従った好適な大きさでＯＳＤ画面を表示することができる。そして、表示画面の総画素数が異なる他の画像表示装置に、当該ＯＳＤ表示制御方法を流用した場合においても、ユーザーに操作負担を与えることなく、表示画面の大きさに対して領域比率情報に従った好適な大きさでＯＳＤ画面を表示することができる。
【００１５】
［適用例５］本適用例に係るＯＳＤ表示制御方法は、表示画面を有する画像表示装置のＯＳＤ表示の制御を行うＯＳＤ表示制御方法であって、前記画像表示装置は、前記表示画面の総画素数に対するＯＳＤ表示に用いられる文字の画素数の比率を文字比率情報として記憶する文字比率記憶部を有し、前記表示画面の前記総画素数を表す総画素数情報を取得する総画素数取得ステップと、前記文字比率記憶部から前記文字比率情報を取得する文字比率取得ステップと、前記総画素数情報および前記文字比率情報に基づいてＯＳＤ表示に用いられる文字の画素数を決定する文字画素数決定ステップと、を備えることを特徴とする。
【００１６】
このような画像表示装置のＯＳＤ表示制御方法によれば、総画素数取得ステップは、画像表示装置の表示画面の総画素数情報を取得する。文字比率取得ステップは、文字比率記憶部から文字比率情報を取得する。そして、文字画素数決定ステップは、総画素数情報および文字比率情報に基づいて、ＯＳＤ表示に用いられる文字の画素数を決定する。ここで、画像表示装置は、表示画面の総画素数とＯＳＤ表示に用いられる文字の画素数との文字比率情報を記憶する文字比率記憶部を有している。これにより、表示画面に対して文字比率情報に従った好適な大きさでＯＳＤ表示文字を表示することができる。そして、表示画面の総画素数が異なる他の画像表示装置に当該ＯＳＤ表示制御方法を流用した場合においても、ユーザーに操作負担を与えることなく、表示画面の大きさに対して文字比率情報に従った好適な大きさでＯＳＤ表示文字を表示することができる。
【００１７】
［適用例６］本適用例に係るＯＳＤ表示装置は、表示画面上にＯＳＤ表示として任意の画像や文字を表示させるＯＳＤ表示装置であって、前記表示画面の総画素数を表す総画素数情報を入力する総画素数入力部と、前記表示画面の前記総画素数に対するＯＳＤ表示を行う領域の画素数の比率を領域比率情報として記憶する領域比率記憶部と、前記総画素数情報および前記領域比率情報に基づいて、ＯＳＤ表示を行う領域の画素数を決定する領域画素数決定部と、を備えることを特徴とする。
【００１８】
このようなＯＳＤ表示装置によれば、総画素数入力部は、表示画面の総画素数情報を入力する。領域比率記憶部は、表示画面の総画素数に対するＯＳＤ表示領域の画素数の領域比率情報を記憶する。領域画素数決定部は、総画素数情報および領域比率情報に基づいて、ＯＳＤ表示を行う領域の画素数を決定する。これにより、表示画面に対して領域比率情報に従った好適な大きさでＯＳＤ画面を表示することができる。そして、表示画面の総画素数が異なる他の画像表示を行う装置に、当該ＯＳＤ表示装置を組み込んだ場合においても、ユーザーに操作負担を与えることなく、表示画面の大きさに対して領域比率情報に従った好適な大きさでＯＳＤ画面を表示することができる。
【００１９】
［適用例７］上記適用例に係るＯＳＤ表示装置において、前記総画素数に対するＯＳＤ表示に用いられる文字の画素数の比率を文字比率情報として記憶する文字比率記憶部と、前記総画素数情報および前記文字比率情報に基づいて、ＯＳＤ表示に用いられる文字の画素数を決定する文字画素数決定部と、をさらに有することを特徴とする。
【００２０】
このようなＯＳＤ表示装置によれば、文字比率記憶部は、表示画面の総画素数に対するＯＳＤ表示に用いられる文字フォントの画素数の文字比率情報を記憶する。文字画素数決定部は、総画素数情報および文字比率情報に基づいて、ＯＳＤ表示に用いられる文字の画素数を決定する。これにより、表示画面に対して文字比率情報に従った好適な大きさでＯＳＤ表示文字を表示することができる。そして、表示画面の総画素数が異なる他の画像表示を行う装置に、当該ＯＳＤ表示装置を組み込んだ場合においても、ユーザーに操作負担を与えることなく、表示画面の大きさに対して文字比率情報に従った好適な大きさでＯＳＤ表示文字を表示することができる。
【図面の簡単な説明】
【００２１】
【図１】第１の実施形態に係る液晶ディスプレイの概略構成を示すブロック図。
【図２】液晶パネルにおけるＯＳＤ表示領域の説明図。
【図３】液晶ディスプレイがＯＳＤ表示を行う際に、ＯＳＤ表示制御プログラムに基づいて制御部が行う処理のフローチャート。
【図４】制御部からＯＳＤ画像データの生成の指示を受けた際に、ＯＳＤ処理部が行う処理のフローチャート。
【図５】ＯＳＤ表示制御プログラムを適用した液晶ディスプレイにおけるＯＳＤ表示領域の説明図であり、（ａ）は、小型の液晶ディスプレイにおけるＯＳＤ表示領域の説明図、（ｂ）は、大型の液晶ディスプレイにおけるＯＳＤ表示領域の説明図。
【図６】第２の実施形態に係るＯＳＤ表示装置の概略構成を示すブロック図。
【発明を実施するための形態】
【００２２】
以下、実施形態について説明する。
【００２３】
（第１の実施形態）
第１の実施形態では、画像表示装置に備わる記憶部に記憶されたＯＳＤ表示制御プログラム、および当該画像表示装置について説明する。本実施形態では、画像表示装置は、液晶ディスプレイとする。
【００２４】
図１は、第１の実施形態に係る液晶ディスプレイ１の概略構成を示すブロック図である。図１を使用して、液晶ディスプレイ１の内部構成について説明する。
【００２５】
液晶ディスプレイ１は、画像表示部１０、制御部２０、記憶部２１、入力操作部２２、領域比率記憶部２３、文字比率記憶部２４、バックライト制御部２５、画像信号入力部３１、画像処理部３２、ＯＳＤ処理部３３等を備えている。
【００２６】
画像表示部１０は、表示画面としての液晶パネル１１と、液晶パネル１１を駆動するパネル駆動部１２とを備えている。また、液晶パネル１１のバックライト１３も備えている。
【００２７】
パネル駆動部１２によって、液晶パネル１１の各画素に画像信号に応じた駆動電圧が印加されると、各画素は、画像信号に応じた光透過率でバックライト１３からの光を透過させる。また、本実施形態では、パネル駆動部１２は、液晶パネル１１の総画素数情報として総画素数Ｄを制御部２０に出力する。
【００２８】
制御部２０は、ＣＰＵ（Central Processing Unit）や、各種データ等の一時記憶に用いられるＲＡＭ等（いずれも図示せず）を備え、記憶部２１に記憶されている制御プログラムに従って動作することにより、液晶ディスプレイ１の動作を統括制御する。つまり、制御部２０は、記憶部２１とともにコンピューターとして機能する。
【００２９】
また、本実施形態では、制御部２０は、ＯＳＤ処理部３３にＯＳＤ画像データ（即ちＯＳＤ画面）の生成の指示を行う。このとき、制御部２０は、パネル駆動部１２から液晶パネル１１の総画素数Ｄを入力する。さらに、制御部２０は、領域比率記憶部２３から液晶パネル１１の総画素数Ｄに対するＯＳＤ表示領域の画素数の領域比率情報としての領域比率Ｒを入力する。そして、制御部２０は、総画素数Ｄおよび領域比率ＲからＯＳＤ表示領域の画素数、即ちＯＳＤ領域サイズＳを算出して、ＯＳＤ処理部３３に通知する。また、制御部２０は、文字比率記憶部２４から液晶パネル１１の総画素数Ｄに対するＯＳＤ表示文字の画素数の文字比率Ｐを入力する。そして、総画素数Ｄおよび文字比率ＰからＯＳＤ表示文字の画素数、即ちＯＳＤ文字サイズＴを算出して、ＯＳＤ処理部３３に通知する。
【００３０】
ここで、液晶パネル１１におけるＯＳＤ表示領域およびＯＳＤ表示文字について説明する。
図２は、液晶パネル１１におけるＯＳＤ表示領域の説明図である。図２に示すように、液晶パネル１１は矩形の表示画面Ｇであり、総画素数はＤとする。ＯＳＤ表示領域Ｆは、液晶パネル１１の略中央に矩形状に表示され、ＯＳＤ領域サイズはＳとする。ＯＳＤ表示文字Ｃは、ＯＳＤ表示領域Ｆに表示される文字であり、ＯＳＤ文字サイズはＴとする。このように、ＯＳＤ表示領域ＦおよびＯＳＤ表示文字Ｃは、液晶パネル１１の表示画面Ｇ上に表示される。なお、ＯＳＤ表示領域Ｆの表示位置は、液晶パネル１１の略中央に限定するものではない。
【００３１】
図１に戻り、記憶部２１は、マスクＲＯＭや、フラッシュメモリー、ＦｅＲＡＭ（Ferroelectric RAM：強誘電体メモリー）等の不揮発性のメモリーにより構成されている。記憶部２１には、液晶ディスプレイ１の動作を制御するための制御プログラムや、ＯＳＤ表示を制御するためのＯＳＤ表示制御プログラム２１ａ、液晶ディスプレイ１の動作条件等を規定する各種設定データ等が記憶されている。
【００３２】
入力操作部２２は、ユーザーが液晶ディスプレイ１に対して各種指示を行うための複数の操作キーを備えている。入力操作部２２が備える操作キーとしては、電源のオン／オフを切り換えるための「電源キー」や、各種設定を行うためのＯＳＤメニュー画面の表示／非表示を切り替える「メニューキー」、ＯＳＤメニュー画面におけるカーソルの移動等に用いられる「カーソルキー」、各種設定を決定するための「決定キー」等を備えている。ユーザーが入力操作部２２の各種操作キーを操作すると、入力操作部２２は、ユーザーの操作内容に応じた操作信号を制御部２０に出力する。なお、入力操作部２２として、遠隔操作が可能なリモコン（図示せず）を用いた構成としてもよい。この場合、リモコンは、ユーザーの操作内容に応じた赤外線等の操作信号を発信し、図示しないリモコン信号受信部がこれを受信して制御部２０に伝達する。
【００３３】
領域比率記憶部２３は、不揮発性のメモリーにより構成されており、液晶パネル１１の総画素数Ｄに対するＯＳＤ表示領域Ｆの画素数の領域比率情報として、領域比率Ｒを記憶する。領域比率Ｒの値については、液晶パネル１１等の表示画面Ｇ全体に対し、ＯＳＤ表示領域Ｆが好適な視認性を得られるような比率の値を予め設定しておくものとする。領域比率Ｒの値は、例えば「０．２５」とする。こうすれば、液晶パネル１１の表示画面Ｇ全体に対して、２５％の大きさでＯＳＤ画面（ＯＳＤ表示領域Ｆ）を表示することができる。なお、領域比率Ｒの値はこれに限定するものではない。
【００３４】
文字比率記憶部２４は、不揮発性のメモリーにより構成されており、液晶パネル１１の総画素数Ｄに対するＯＳＤ表示文字Ｃの画素数の文字比率情報として、文字比率Ｐを記憶する。文字比率Ｐの値については、液晶パネル１１等の表示画面Ｇ全体に対し、ＯＳＤ表示文字Ｃが好適な視認性を得られるような比率の値を予め設定しておくものとする。文字比率Ｐの値は、例えば「０．０２５」とする。こうすれば、液晶パネル１１の表示画面Ｇ全体に対して、２．５％の大きさでＯＳＤ表示文字Ｃを表示することができる。なお、文字比率Ｐの値はこれに限定するものではない。
【００３５】
バックライト制御部２５は、制御部２０の指示に基づいて、バックライト１３に対する電力の供給と停止とを制御し、バックライト１３の点灯および消灯を切り替える。
【００３６】
画像信号入力部３１には、パーソナルコンピューターやビデオ再生装置等、外部の画像供給装置（図示せず）とケーブルを介した接続を行うための各種の画像入力端子が備えられており、画像供給装置から画像信号が入力される。画像信号入力部３１は、入力される画像信号を、画像処理部３２で処理可能な形式の画像データに変換して、画像処理部３２に出力する。
【００３７】
画像処理部３２は、制御部２０の指示に基づいて、画像信号入力部３１から入力される画像データに対して、明るさ、コントラスト、シャープネス、色合い等の調整や、ガンマ補正等の各種画質調整を施す。画像処理部３２は、このような調整を行った画像データをＯＳＤ処理部３３に出力する。
【００３８】
ＯＳＤ処理部３３は、制御部２０の指示に基づいて、メニュー画面やメッセージ画面等のＯＳＤ画像データを生成し、画像処理部３２から入力される画像データに重畳する処理を行う。ＯＳＤ画像データの生成時には、ＯＳＤ処理部３３は、制御部２０からＯＳＤ領域サイズの情報、およびＯＳＤ文字サイズの情報等を入力する。
【００３９】
ＯＳＤ処理部３３は、ＯＳＤメモリー３３ａを備えており、ＯＳＤ画像を形成するための各種サイズの文字フォントや図形等を表すＯＳＤデータを記憶している。本実施形態では、ＯＳＤデータはビットマップデータとする。制御部２０が、ＯＳＤ画像の生成を指示すると、ＯＳＤ処理部３３は、ＯＳＤ領域サイズの情報およびＯＳＤ文字サイズの情報に基づいて、ＯＳＤデータをＯＳＤメモリー３３ａから読み出してＯＳＤ画像データを生成する。そして、入力された画像の所定の位置にＯＳＤ画像が重畳されるように、画像処理部３２から入力される画像データに生成したＯＳＤ画像データを合成する。ＯＳＤ画像データが合成された画像データは、パネル駆動部１２に出力される。なお、制御部２０からＯＳＤ画像データを生成する旨の指示がない場合には、ＯＳＤ処理部３３は、画像処理部３２から出力される画像データを、そのままパネル駆動部１２に出力する。
【００４０】
パネル駆動部１２が、ＯＳＤ処理部３３から入力される画像データに従って液晶パネル１１を駆動すると、液晶パネル１１は、画像データに応じた画像を表示する。
【００４１】
次に、液晶ディスプレイ１がＯＳＤ表示を行う際の処理について説明する。
まず、液晶ディスプレイ１がＯＳＤ表示を行う際に、ＯＳＤ表示制御プログラム２１ａに基づいて制御部２０が行う処理について説明する。
図３は、液晶ディスプレイ１がＯＳＤ表示を行う際に、ＯＳＤ表示制御プログラム２１ａに基づいて制御部２０が行う処理のフローチャートである。
【００４２】
制御部２０は、パネル駆動部１２から液晶パネル１１の総画素数Ｄを取得する（ステップＳ１０１）。このステップが総画素数入力ステップに相当する。さらに、制御部２０は、領域比率記憶部２３から領域比率Ｒを取得する（ステップＳ１０２）。このステップが領域比率入力ステップに相当する。そして、制御部２０は、総画素数Ｄおよび領域比率ＲからＯＳＤ領域サイズＳを決定する（ステップＳ１０３）。このステップが領域画素数決定ステップに相当する。ＯＳＤ領域サイズＳは、下記の式（１）により算出することができる。
Ｓ＝Ｄ＊Ｒ  …（１）
【００４３】
制御部２０は、文字比率記憶部２４から文字比率Ｐを取得する（ステップＳ１０４）。このステップが文字比率入力ステップに相当する。そして、制御部２０は、総画素数Ｄおよび文字比率ＰからＯＳＤ文字サイズＴを決定する（ステップＳ１０５）。このステップが文字画素数決定ステップに相当する。ＯＳＤ文字サイズＴは、下記の式（２）により算出することができる。
Ｔ＝Ｄ＊Ｐ  …（２）
【００４４】
そして、制御部２０は、ＯＳＤ処理部３３にＯＳＤ画像データの生成を指示する（ステップＳ１０６）。さらに、制御部２０は、ＯＳＤ処理部３３にＯＳＤ領域サイズＳの情報およびＯＳＤ文字サイズＴの情報を通知する（ステップＳ１０７）。そして、ＯＳＤ表示制御プログラム２１ａに基づいて制御部２０が行う処理を終了する。
【００４５】
次に、液晶ディスプレイ１がＯＳＤ表示を行う際に、ＯＳＤ処理部３３が行う処理について説明する。
図４は、制御部２０からＯＳＤ画像データの生成の指示を受けた際に、ＯＳＤ処理部３３が行う処理のフローチャートである。
【００４６】
制御部２０からＯＳＤ画像データの生成の指示と、ＯＳＤ領域サイズＳの情報およびＯＳＤ文字サイズＴの情報とを受けると、ＯＳＤ処理部３３は、ＯＳＤ文字サイズＴに対応した文字フォントをＯＳＤメモリー３３ａから読み出す（ステップＳ２０１）。そして、ＯＳＤ処理部３３は、読み出した文字フォントを用いて、ＯＳＤ領域サイズＳに応じたＯＳＤ画像データを生成する（ステップＳ２０２）。さらに、ＯＳＤ処理部３３は、画像処理部３２から入力される画像データに、生成したＯＳＤ画像データを合成する（ステップＳ２０３）。
【００４７】
上述したように、液晶ディスプレイ１は、ＯＳＤ表示制御プログラム２１ａによって、液晶パネル１１の総画素数Ｄと領域比率Ｒと文字比率Ｐとに基づいて、ＯＳＤ領域サイズＳおよび文字サイズＴを決定する。そして、液晶ディスプレイ１は、ＯＳＤ領域サイズＳおよび文字サイズＴに基づいてＯＳＤ画像データを生成して、画像データに合成することができる。
【００４８】
上述した第１の実施形態によれば、以下の効果が得られる。
（１）液晶ディスプレイ１の記憶部２１に記憶されたＯＳＤ表示制御プログラム２１ａによれば、液晶パネル１１の総画素数Ｄに基づき、領域比率Ｒに従ったＯＳＤ領域サイズＳを決定することができる。これにより、液晶パネル１１の表示画面Ｇに対して領域比率Ｒに従った好適な大きさでＯＳＤ画像データを生成して、画像データに合成することができる。そして、表示画面Ｇの総画素数Ｄが異なる他の画像表示装置に当該ＯＳＤ表示制御プログラムを流用した場合においても、ユーザーに操作負担を与えることなく、表示画面Ｇの大きさに対して領域比率Ｒに従った好適な大きさで、視認性の良いＯＳＤ画面（ＯＳＤ表示領域Ｆ）を表示することができる。
【００４９】
（２）液晶ディスプレイ１の記憶部２１に記憶されたＯＳＤ表示制御プログラム２１ａによれば、液晶パネル１１の総画素数Ｄに基づき、文字比率Ｐに従ったＯＳＤ文字サイズＴを決定することができる。これにより、液晶パネル１１の表示画面Ｇに対して文字比率Ｐに従った好適な大きさでＯＳＤ表示文字Ｃを表示することができる。そして、表示画面Ｇの総画素数Ｄが異なる他の画像表示装置に当該ＯＳＤ表示制御プログラムを流用した場合においても、ユーザーに操作負担を与えることなく、表示画面Ｇの大きさに対して文字比率Ｐに従った好適な大きさで、視認性の良いＯＳＤ表示文字Ｃを表示することができる。
【００５０】
図５は、第１の実施形態に係るＯＳＤ表示制御プログラムを適用した液晶ディスプレイにおけるＯＳＤ表示領域の説明図である。同図（ａ）は、小型の液晶ディスプレイにおけるＯＳＤ表示領域の説明図、同図（ｂ）は、大型の液晶ディスプレイにおけるＯＳＤ表示領域の説明図である。図５（ａ）では、液晶パネル１１ａの表示画面Ｇ１の総画素数はＤ１であり、ＯＳＤ表示領域Ｆ１のＯＳＤ領域サイズは、領域比率Ｒに従って算出され、Ｓ１となっている。また、ＯＳＤ表示文字Ｃ１のＯＳＤ文字サイズは、文字比率Ｐに従って算出され、Ｔ１となっている。図５（ｂ）では、液晶パネル１１ｂの表示画面Ｇ２の総画素数はＤ２であり、ＯＳＤ表示領域Ｆ２のＯＳＤ領域サイズは、領域比率Ｒに従って算出され、Ｓ２となっている。また、ＯＳＤ表示文字Ｃ２のＯＳＤ文字サイズは、文字比率Ｐに従って算出され、Ｔ２となっている。ここで、表示画面Ｇ１の総画素数Ｄ１は、表示画面Ｇ２の総画素数Ｄ２よりも小さいものとする。
【００５１】
図５（ａ）、（ｂ）に示すように、ＯＳＤ表示制御プログラムを適用することで、総画素数が異なる液晶パネル１１ａおよび液晶パネル１１ｂにおいても、それぞれ領域比率Ｒに従った好適な大きさで、ＯＳＤ画面（ＯＳＤ表示領域）を表示することができる。また、それぞれ文字比率Ｐに従った好適な大きさで、ＯＳＤ表示文字を表示することができる。
【００５２】
（第２の実施形態）
以下、第２の実施形態について説明する。
【００５３】
第２の実施形態では、ＯＳＤ表示装置について説明する。本実施形態では、ＯＳＤ表示装置は、画像表示装置に組み込まれ、入力される画像データに対してＯＳＤ画像データを生成して合成し、出力を行う装置とする。
【００５４】
図６は、第２の実施形態に係るＯＳＤ表示装置１００の概略構成を示すブロック図である。図６を使用して、ＯＳＤ表示装置１００の内部構成について説明する。
【００５５】
ＯＳＤ表示装置１００は、制御部１２０、記憶部１１１、ＯＳＤ情報入力部１１２、画素数入力部１１３、領域比率記憶部１２３、文字比率記憶部１２４、ＯＳＤ画像生成部１３３、画像データ入力部１３０、ＯＳＤ画像合成部１３１、画像データ出力部１３２等を備えている。
【００５６】
制御部１２０は、ＣＰＵや、各種データ等の一時記憶に用いられるＲＡＭ等（いずれも図示せず）を備え、記憶部１１１に記憶されている制御プログラムに従って動作することによりＯＳＤ表示装置１００の動作を統括制御する。つまり、制御部１２０は、記憶部１１１とともにコンピューターとして機能する。
【００５７】
また、本実施形態では、制御部１２０は、ＯＳＤ画像生成部１３３にＯＳＤ画像データの生成の指示を行う。このとき、制御部１２０は、ＯＳＤ情報入力部１１２を介してＯＳＤ表示の種類を表すＯＳＤ種類情報を入力する。また、制御部１２０は、画素数入力部１１３を介して表示画面（図示せず）の総画素数情報として総画素数Ｄを入力する。さらに、制御部１２０は、領域比率記憶部１２３から、表示画面の総画素数Ｄに対するＯＳＤ表示領域の画素数の領域比率情報として、領域比率Ｒを入力する。そして、総画素数Ｄおよび領域比率ＲからＯＳＤ表示領域の画素数、即ちＯＳＤ領域サイズＳを算出して、ＯＳＤ画像生成部１３３に通知する。また、制御部１２０は、文字比率記憶部１２４から、表示画面の総画素数Ｄに対するＯＳＤ表示文字の画素数の文字比率情報として、文字比率Ｐを入力する。そして、総画素数Ｄおよび文字比率ＰからＯＳＤ表示文字の画素数、即ちＯＳＤ文字サイズＴを算出して、ＯＳＤ画像生成部１３３に通知する。
【００５８】
記憶部１１１は、マスクＲＯＭや、フラッシュメモリー、ＦｅＲＡＭ等の不揮発性のメモリーにより構成されている。記憶部１１１には、ＯＳＤ表示装置１００の動作を制御するための制御プログラムや、ＯＳＤ表示装置１００の動作条件等を規定する各種設定データ等が記憶されている。
【００５９】
ＯＳＤ情報入力部１１２は、ＯＳＤ画像データとして表示するべきＯＳＤ表示の種類を表すＯＳＤ種類情報を入力し、制御部１２０に伝達する。
【００６０】
領域比率記憶部１２３は、不揮発性のメモリーにより構成されており、表示画面の総画素数Ｄに対するＯＳＤ表示領域の画素数の領域比率情報として、領域比率Ｒを記憶する。領域比率Ｒの値については、表示画面全体に対し、ＯＳＤ表示領域が好適な視認性を得られるような比率の値を予め設定しておくものとする。
【００６１】
文字比率記憶部１２４は、不揮発性のメモリーにより構成されており、表示画面の総画素数Ｄに対するＯＳＤ表示文字の画素数の文字比率情報として、文字比率Ｐを記憶する。文字比率Ｐの値については、表示画面全体に対し、ＯＳＤ表示文字が好適な視認性を得られるような比率の値を予め設定しておくものとする。
【００６２】
ＯＳＤ画像生成部１３３は、制御部１２０の指示に基づいて、メニュー画面やメッセージ画面等のＯＳＤ画像データを生成する。ＯＳＤ画像データの生成時には、ＯＳＤ画像生成部１３３は、制御部１２０からＯＳＤ表示の種類、ＯＳＤ領域サイズ、およびＯＳＤ文字サイズ等を入力する。
【００６３】
ＯＳＤ画像生成部１３３は、ＯＳＤメモリー１３３ａを備えており、ＯＳＤ画像を形成するための各種サイズの文字フォントや図形等を表すＯＳＤデータを記憶している。本実施形態では、ＯＳＤデータはビットマップデータとする。制御部１２０が、ＯＳＤ画像の生成を指示すると、ＯＳＤ画像生成部１３３は、ＯＳＤ領域サイズおよびＯＳＤ文字サイズに基づいて、ＯＳＤデータをＯＳＤメモリー１３３ａから読み出してＯＳＤ画像データを生成する。そして、生成したＯＳＤ画像データをＯＳＤ画像合成部１３１に出力する。
【００６４】
画像データ入力部１３０は、ＯＳＤ画像データが重畳される画像データを入力する。画像データ入力部１３０は、入力された画像データをＯＳＤ画像合成部１３１に出力する。
【００６５】
ＯＳＤ画像合成部１３１は、画像データ入力部１３０から入力される画像データに、ＯＳＤ画像生成部１３３から入力されたＯＳＤ画像データを合成する処理を行う。ＯＳＤ画像データが合成された画像データは、画像データ出力部１３２に出力される。
【００６６】
画像データ出力部１３２は、ＯＳＤ画像合成部１３１から入力された画像データを外部に出力する。
【００６７】
上述したように、ＯＳＤ表示装置１００は、入力される表示画面の総画素数ＤおよびＯＳＤ種類と、領域比率Ｒと、文字比率Ｐとに基づいて、ＯＳＤ画像データを生成することができる。そして、生成したＯＳＤ画像データを外部から入力される画像データに合成することができる。
【００６８】
上述した第２の実施形態によれば、以下の効果が得られる。
（１）ＯＳＤ表示装置１００は、入力された表示画面の総画素数Ｄに基づき、領域比率Ｒに従ったＯＳＤ領域サイズＳを決定することができる。これにより、表示画面に対して領域比率Ｒに従った好適な大きさでＯＳＤ画像データを生成して、画像データに合成することができる。そして、表示画面の総画素数Ｄが異なる他の画像表示装置に、ＯＳＤ表示装置１００を組み込んだ場合においても、ユーザーに操作負担を与えることなく、表示画面の大きさに対して領域比率Ｒに従った好適な大きさで、視認性の良いＯＳＤ画面を表示することができる。
【００６９】
（２）ＯＳＤ表示装置１００は、入力された表示画面の総画素数Ｄに基づき、文字比率Ｐに従ったＯＳＤ文字サイズＴを決定することができる。これにより、表示画面に対して文字比率Ｐに従った好適な大きさでＯＳＤ表示文字を表示することができる。そして、表示画面の総画素数Ｄが異なる他の画像表示装置に、ＯＳＤ表示装置１００を組み込んだ場合においても、ユーザーに操作負担を与えることなく、表示画面の大きさに対して文字比率Ｐに従った好適な大きさで、視認性の良いＯＳＤ表示文字を表示することができる。
【００７０】
なお、上述した実施形態に限定されず、種々の変更や改良等を加えて実施することが可能である。変形例を以下に述べる。
【００７１】
（変形例１）上記実施形態では、ＯＳＤ領域サイズＳは、総画素数Ｄおよび領域比率Ｒに基づいて算出されるものとしたが、文字比率Ｐに基づいて算出されたＯＳＤ文字サイズＴに基づいて算出されるものとしてもよい。例えば、ＯＳＤ文字サイズＴに所定の拡大倍率を乗算することでＯＳＤ領域サイズＳを算出してもよい。
【００７２】
（変形例２）上記実施形態では、ＯＳＤ領域サイズＳやＯＳＤ文字サイズＴは、表示画面Ｇ（液晶パネル１１）の総画素数Ｄに対する画素数として算出されるものとした。即ち、ＯＳＤ領域サイズＳやＯＳＤ文字サイズＴは、面積を表していた。ここで、高さ方向の画素数によって、ＯＳＤ領域サイズＳやＯＳＤ文字サイズＴを算出するものとしてもよい。つまり、表示画面Ｇ（液晶パネル１１）の高さ方向の画素数と、高さ方向の領域比率情報と、高さ方向の文字比率情報と、に基づいて、ＯＳＤ領域サイズＳやＯＳＤ文字サイズＴを算出してもよい。こうすれば、ＯＳＤ領域サイズＳやＯＳＤ文字サイズＴの算出処理を簡易にすることができる。また、幅方向の画素数と、幅方向の領域比率情報と、幅方向の文字比率情報と、に基づいて、ＯＳＤ領域サイズＳやＯＳＤ文字サイズＴを算出してもよい。
【００７３】
（変形例３）上記実施形態では、ＯＳＤ領域サイズＳおよびＯＳＤ文字サイズＴを決定するのは、ＯＳＤ画像データの生成時としたが、液晶ディスプレイ１（第１の実施形態）やＯＳＤ表示装置１００（第２の実施形態）に電源が供給され、初期処理を行う際に決定してもよい。こうすれば、ＯＳＤ画像データの生成時に毎回、算出処理を行う必要がないため、有益である。
【００７４】
（変形例４）上記実施形態では、ＯＳＤメモリー３３ａおよびＯＳＤメモリー１３３ａは、各種サイズの文字フォントや図形等を表すＯＳＤデータを記憶するものとしたが、ＯＳＤデータを拡大／縮小するＯＳＤデータ拡大縮小処理プログラム（図示せず）を有するものとしてもよい。ＯＳＤデータ拡大縮小処理プログラムを使用することによって、文字フォントや図形等を各種サイズ記憶する必要が無くなり、ＯＳＤメモリー３３ａおよびＯＳＤメモリー１３３ａの容量を低減することが可能となるため、有益である。
【００７５】
（変形例５）上記実施形態では、ＯＳＤメモリー３３ａおよびＯＳＤメモリー１３３ａは、各種サイズの文字フォントや図形等を表すＯＳＤデータをビットマップデータとして記憶するものとしたが、ＯＳＤデータはアウトラインフォントデータとして記憶してもよい。こうすれば、各種サイズの文字フォントや図形等を記憶する必要が無いため、有益である。
【００７６】
（変形例６）上記第１の実施形態では、制御部２０は、パネル駆動部１２から総画素数情報を入力しているが、記憶部２１等の不揮発性のメモリーに液晶パネル１１の総画素数情報を記憶してもよい。
【００７７】
（変形例７）上記第１の実施形態では、ＯＳＤ表示制御プログラム２１ａを備えた画像表示装置として、液晶ディスプレイ１を例にして説明しているが、表示画面を備え、ＯＳＤ表示を行う画像表示装置であれば適用することが可能である。例えば、プロジェクター、あるいは、透過型のスクリーンを一体的に備えたリアプロジェクター、プラズマディスプレイ、ＳＥＤ（Surface-Conduction Electron-Emitter Display）、有機ＥＬ（Electro Luminescence）ディスプレイ、ＣＲＴ（Cathode Ray Tube）ディスプレイ等に適用することも可能である。
【符号の説明】
【００７８】
１…液晶ディスプレイ、１０…画像表示部、１１…液晶パネル、１２…パネル駆動部、１３…バックライト、２０，１２０…制御部、２１，１１１…記憶部、２１ａ…ＯＳＤ表示制御プログラム、２２…入力操作部、２３，１２３…領域比率記憶部、２４，１２４…文字比率記憶部、２５…バックライト制御部、３１…画像信号入力部、３２…画像処理部、３３…ＯＳＤ処理部、３３ａ，１３３ａ…ＯＳＤメモリー、１００…ＯＳＤ表示装置、１１２…ＯＳＤ情報入力部、１１３…画素数入力部、１３３…ＯＳＤ画像生成部、１３０…画像データ入力部、１３１…ＯＳＤ画像合成部、１３２…画像データ出力部。
【図１】
2011024073.tif 000003
【図２】
2011024073.tif 000004
【図３】
2011024073.tif 000005
【図４】
2011024073.tif 000006
【図５】
2011024073.tif 000007
【図６】
2011024073.tif 000008